【手続補正書】
【提出日】平成22年2月1日(2010.2.1)
【手続補正１】
【補正対象書類名】特許請求の範囲
【補正対象項目名】全文
【補正方法】変更
【補正の内容】
【特許請求の範囲】
【請求項１】
液晶表示装置に用いられ、光学的に負の一軸異方性を有し、光軸が薄膜面に対して略垂直であり、かつ、厚み方向の複屈折Δｎが０．０１〜０．３である位相差薄膜を形成するための位相差薄膜用樹脂組成物であって、テトラカルボン酸二無水物とジアミンとを反応させて得られるポリイミド前駆体および有機溶剤を含み、少なくとも１種のテトラカルボン酸二無水物が、１，２，３，４−シクロブタンテトラカルボン酸二無水物であるか、または少なくとも１種のジアミンが、一般式（１）で表されるトランス−１，４−ジアミノシクロヘキサン化合物
【化１】
2008107766.tif 000001
（式中、Ｒ１は１価の有機基または水素原子を表す。）
であることを特徴とする位相差薄膜用樹脂組成物。
【請求項２】
少なくとも１種のジアミンが、一般式（１）で表されるトランス−１，４−ジアミノシクロヘキサン化合物である場合に、少なくとも１種のテトラカルボン酸二無水物が、一般式（２）で表される３，３’，４，４’−ビフェニルテトラカルボン酸二無水物化合物であることを特徴とする請求項１に記載の液晶表示装置用樹脂組成物。
【化２】
2008107766.tif 000002
（式中、Ｒ２、およびＲ３はそれぞれ１価の有機基または水素原子を表し、それぞれ同じものであっても異なるものであってもよい。）
【請求項３】
ポリイミド前駆体が、少なくとも下記一般式（３）で示される構成単位を有することを特徴とする請求項２に記載の液晶表示装置用樹脂組成物。
【化３】
2008107766.tif 000003
（式中、Ｒ１、Ｒ２、Ｒ３、Ｒ４およびＲ５はそれぞれ１価の有機基または水素原子を表し、それぞれ同じものであっても異なるものであってもよい。）
【請求項４】
少なくとも１種のテトラカルボン酸二無水物が、１，２，３，４−シクロブタンテトラカルボン酸二無水物である場合に、ジアミンが、４，４’−ジアミノベンズアニリド、ベンジジン、３，３’−ジメチルベンジジン、３，３’−ジヒドロキシベンジジン、３，３’−ジメトキシベンジジン、２，２’−ジメチルベンジジン、２，２’−ビス(トリフルオロメチル)ベンジジン、ｐ−フェニレンジアミン、２，５−ジアミノトルエン、３，６−ジアミノデュレン、ｍ−フェニレンジアミン、２，４−ジアミノトルエン、２，４−ジアミノキシレンから選ばれる少なくとも１種であることを特徴とする請求項１に記載の位相差薄膜用樹脂組成物。
【請求項５】
ジアミンが、ｐ−フェニレンジアミン、４，４’−ジアミノベンズアニリドから選ばれる少なくとも１種であることを特徴とする請求項４に記載の位相差薄膜用樹脂組成物。
【請求項６】
ポリイミド前駆体のアミン末端基の一部または全部が、ジカルボン酸無水物とのアミック酸形成反応によって末端封止されていることを特徴とする請求項１〜５に記載の位相差薄膜用樹脂組成物。
【請求項７】
ジカルボン酸無水物が、無水マレイン酸、無水フタル酸 、無水コハク酸および無水ナジック酸から選ばれた少なくとも１種のジカルボン酸無水物であることを特徴とする請求項６に記載の位相差薄膜用樹脂組成物。
【請求項８】
透明基板上に赤、青、緑の各色の画素が二次元的に配列された液晶表示装置用カラーフィルター基板であって、請求項１〜７に記載の位相差薄膜用樹脂組成物から形成された位相差薄膜が画素を被覆するように形成されていることを特徴とする液晶表示装置用カラーフィルター基板。
【請求項９】
請求項８に記載の液晶表示装置用カラーフィルター基板を用いた液晶表示装置であって、該液晶表示装置の表示方式が、電圧無印加時に液晶分子が液晶セル面に対し略垂直な方向に配向しており、電圧印加時に液晶分子が液晶セル面に対し略平行な方向に配向する液晶表示方式であることを特徴とする液晶表示装置。
【請求項１０】
請求項１〜７に記載の位相差薄膜用樹脂組成物を、透明基板上に赤、青、緑の各色の画素が二次元的に配列されたカラーフィルター基板の画素が配列された側の面に塗布し、熱処理することを特徴とする位相差薄膜付き液晶表示装置用カラーフィルター基板の製造方法。
【手続補正２】
【補正対象書類名】明細書
【補正対象項目名】００１２
【補正方法】変更
【補正の内容】
【００１２】
上記課題を解決するために、本発明は下記の構成からなる。
１．  液晶表示装置に用いられ、光学的に負の一軸異方性を有し、光軸が薄膜面に対して略垂直であり、かつ、厚み方向の複屈折Δｎが０．０１〜０．３である位相差薄膜を形成するための位相差薄膜用樹脂組成物であって、テトラカルボン酸二無水物とジアミンとを反応させて得られるポリイミド前駆体および有機溶剤を含み、少なくとも１種のテトラカルボン酸二無水物が、１，２，３，４−シクロブタンテトラカルボン酸二無水物であるか、または少なくとも１種のジアミンが、一般式（１）で表されるトランス−１，４−ジアミノシクロヘキサン化合物であることを特徴とする位相差薄膜用樹脂組成物。
【手続補正３】
【補正対象書類名】明細書
【補正対象項目名】００１４
【補正方法】変更
【補正の内容】
【００１４】
（式中、Ｒ１は１価の有機基または水素原子を表す。）
２．  少なくとも１種のジアミンが、一般式（１）で表されるトランス−１，４−ジアミノシクロヘキサン化合物である場合に、少なくとも１種のテトラカルボン酸二無水物が、一般式（２）で表される３，３’，４，４’−ビフェニルテトラカルボン酸二無水物化合物であることを特徴とする１項に記載の液晶表示装置用樹脂組成物。
【手続補正４】
【補正対象書類名】明細書
【補正対象項目名】００１６
【補正方法】変更
【補正の内容】
【００１６】
（式中、Ｒ２、およびＲ３はそれぞれ１価の有機基または水素原子を表し、それぞれ同じものであっても異なるものであってもよい。）
３．  ポリイミド前駆体が、少なくとも下記一般式（３）で示される構成単位を有することを特徴とする２項に記載の液晶表示装置用樹脂組成物。
【手続補正５】
【補正対象書類名】明細書
【補正対象項目名】００１８
【補正方法】変更
【補正の内容】
【００１８】
（式中、Ｒ１、Ｒ２、Ｒ３、Ｒ４およびＲ５はそれぞれ１価の有機基または水素原子を表し、それぞれ同じものであっても異なるものであってもよい。）
４．  少なくとも１種のテトラカルボン酸二無水物が、１，２，３，４−シクロブタンテトラカルボン酸二無水物である場合に、ジアミンが、４，４’−ジアミノベンズアニリド、ベンジジン、３，３’−ジメチルベンジジン、３，３’−ジヒドロキシベンジジン、３，３’−ジメトキシベンジジン、２，２’−ジメチルベンジジン、２，２’−ビス(トリフルオロメチル)ベンジジン、ｐ−フェニレンジアミン、２，５−ジアミノトルエン、３，６−ジアミノデュレン、ｍ−フェニレンジアミン、２，４−ジアミノトルエン、２，４−ジアミノキシレンから選ばれる少なくとも１種であることを特徴とする１項に記載の位相差薄膜用樹脂組成物。
５．  ジアミンが、ｐ−フェニレンジアミン、４，４’−ジアミノベンズアニリドから選ばれる少なくとも１種であることを特徴とする４項に記載の位相差薄膜用樹脂組成物。
６．  ポリイミド前駆体のアミン末端基の一部または全部が、ジカルボン酸無水物とのアミック酸形成反応によって末端封止されていることを特徴とする１〜５項に記載の位相差薄膜用樹脂組成物。
７．  ジカルボン酸無水物が、無水マレイン酸、無水フタル酸 、無水コハク酸および無水ナジック酸から選ばれた少なくとも１種のジカルボン酸無水物であることを特徴とする６項に記載の位相差薄膜用樹脂組成物。
８．  透明基板上に赤、青、緑の各色の画素が二次元的に配列された液晶表示装置用カラーフィルター基板であって、１〜７項に記載の位相差薄膜用樹脂組成物から形成された位相差薄膜が画素を被覆するように形成されていることを特徴とする液晶表示装置用カラーフィルター基板。
９．  ８項に記載の液晶表示装置用カラーフィルター基板を用いた液晶表示装置であって、該液晶表示装置の表示方式が、電圧無印加時に液晶分子が液晶セル面に対し略垂直な方向に配向しており、電圧印加時に液晶分子が液晶セル面に対し略平行な方向に配向する液晶表示方式であることを特徴とする液晶表示装置。
１０．  １〜７項に記載の位相差薄膜用樹脂組成物を、透明基板上に赤、青、緑の各色の画素が二次元的に配列されたカラーフィルター基板の画素が配列された側の面に塗布し、熱処理することを特徴とする位相差薄膜付き液晶表示装置用カラーフィルター基板の製造方法。